(57)【要約】【課題】飛翔時に発電部内に電解液が確実に保持され、出力の安定した高信頼性の注液式電池を提供する。【解決手段】電解液を封入したアンプルと；積層された単セル複数個を含む発電部と；アンプルを収納するアンプル収納部、発電部を収納する発電部収納部、ならびにアンプル収納部および発電部収納部を連絡する注液路および排気路を有する構造体と；を備えた注液式電池であって、アンプルおよび発電部は、注液路を介して対向する位置に配置され、単セルは、正極と、負極と、正極と負極との間に配されたセパレータと、を含み、セパレータは、正極および負極の左端縁部に対応する左側部と、正極および負極の右端縁部に対応する右側部と、正極および負極の下端縁部に対応する底部と、左側部の上端から右側部側に延びる左折り曲げ部と、右側部の上端から左側部側に延びる右折り曲げ部と、を有する。【選択図】図１
2008047495.tif 000002
【特許請求の範囲】
【請求項１】
電解液を封入したアンプルと；積層された単セル複数個を含む発電部と；前記アンプルを収納するアンプル収納部、前記発電部を収納する発電部収納部、ならびに前記アンプル収納部および前記発電部収納部を連絡する注液路および排気路を有する構造体と；を備え、
前記アンプルおよび前記発電部は、前記注液路を介して対向する位置に配置され、
前記単セルは、正極と、負極と、前記正極と負極との間に配されたセパレータと、を含み、
前記セパレータは、前記正極および前記負極の左端縁部に対応する左側部と、前記正極および前記負極の右端縁部に対応する右側部と、前記正極および前記負極の下端縁部に対応する底部と、前記左側部の上端から前記右側部側に延びる左折り曲げ部と、前記右側部の上端から前記左側部側に延びる右折り曲げ部と、を有する注液式電池。
【請求項２】
前記左側部、前記右側部および前記底部が凹部を形成している請求項１記載の注液式電池。
【請求項３】
前記左折り曲げ部と前記左側部との角度、および前記右折り曲げ部と前記右側部との角度は、それぞれ４５〜１３５°である請求項１または２記載の注液式電池。
【請求項４】
前記左折り曲げ部と前記左側部との角度、および前記右折り曲げ部と前記右側部との角度は、それぞれ４５〜９０°である請求項１または２記載の注液式電池。
【請求項５】
前記構造体は、前記アンプル収納部と前記発電部収納部とを隔離するアンプル破壊機構を含み、前記アンプル破壊機構は前記注液路を有する請求項１記載の注液式電池。
【請求項６】
前記アンプル破壊機構は前記アンプル収納部側に突起部を有する請求項５記載の注液式電池。
【発明の詳細な説明】
【技術分野】
【０００１】
本発明は、発射衝撃のみで活性化する無旋回仕様の注液式電池に関する。さらに詳しくは、小型タイプの注液式電池に関する。
【背景技術】
【０００２】
従来から、注液式電池では、注液式電池を備えた飛翔体の発射に際して、大きな加速度が与えられ、その衝撃の加速度によって、注液式電池内の電解液を封入したアンプルが破壊される。発射による衝撃力と同時に、飛翔体が旋回することにより注液式電池に遠心力が与えられ、電解液がアンプルの周囲に配置された発電部に流入し、電圧が発生し、電池が活性化する。このように、注液式電池は、発射後に旋回する飛翔体の信管用電源部として使用されている（例えば、特許文献１）。
【０００３】
ところで、近年、旋回せずに発射衝撃のみで活性化する電源部として注液式電池の適用が求められている。しかし、上記の注液式電池では、発射衝撃だけでは、電解液がアンプルの周囲に配置された発電部に流入しないため、電池が活性化しないという問題がある。
【０００４】
そこで、上記問題を解決するため、発射衝撃のみで活性化する無旋回仕様の注液式電池が検討されている。ここで、図８および９は、従来の無旋回使用の注液式電池の側面および正面における概略縦断面図である。
注液式電池は、電解液を封入したアンプル３１と；積層された単セル複数個を含む発電部３２と；アンプル３１を収納するアンプル収納部３１ａ、発電部３２を収納する発電部収納部３２ａ、ならびにアンプル収納部３１ａおよび発電部収納部３２ａを連絡する注液路３８および排気路３９を有する構造体３４と；を備える。アンプル収納部３１ａと発電部収納部３２ａとは、注液路３８を介して対向する位置に配置されている。
【０００５】
構造体３４は、ステンレス鋼製であり、有底円筒形のステンレス鋼製ケース３６内に収納されている。そして、構造体３４は、上記のアンプル収納部３１ａおよび発電部収納部３２ａに加えて、排気路３９の一部を形成する排気孔３９ａ、およびアンプル収納部３１ａと発電部収納部３２ａとを隔離するアンプル破壊機構３５を設置するための空間部３５ａを有する。
空間部３５ａには、アンプル収納部３１ａと発電部収納部３２ａとを隔離するアンプル破壊機構３５が設置されており、アンプル破壊機構３５は、アンプル収納部３１ａと発電部収納部３２ａとを連絡する注液路３８、および排気路３９の一部を形成する排気孔３９ｂ、およびアンプル収納部３１ａ側に設けられた突起部３７を有する。排気路３９は、排気孔３９ａおよび３９ｂにより形成されており、突起部３７は、アンプル３１を破壊するためのものである。
【０００６】
アンプル収納部３１ａには、過塩素酸水溶液からなる電解液を封入したアンプル３１が設置されている。発電部収納部３２ａに、セパレータ４４と極板４５とが交互に配置された発電部３２が収納されている。極板４５には、例えばニッケルめっき鋼板からなる基板の一方の面にめっき法により二酸化鉛層からなる正極が形成され、他方の面にめっき法により鉛層からなる負極が形成されたものが用いられる。セパレータ４４は、極板４５の左端縁部、右端縁部および下端縁部にそれぞれ対応する左側部、右側部、および底部からなり、セパレータ４４および極板４５により電解液が流入する凹部４７が形成されている。発電部３２は、凹部４７の開口部が注液路３８側に向くように配置され、アンプル３１および発電部３２は、注液路３８を介して図８に示す矢印Ｘの方向において直線状に配置されている。
【０００７】
アンプル収納部３１ａの上部および発電部収納部３２ａの下部には、電解液が外部へ漏れないように仮蓋４０がそれぞれ配されている。構造体３４とケース３６との間には、出力端子４１ａ、４１ｂと発電部３２とを接続する一対のリード線４２ａ、４２ｂが配されている。ケース３６およびアンプル収納部３１ａの上部に配されている仮蓋４０の上部を、例えばポリエチレンからなる樹脂製電池蓋４３で覆うことにより、ケース３６の開口部が封口されている。
【０００８】
この注液式電池の作動について説明する。
図８に示す矢印Ｙの方向に注液式電池に発射衝撃による力が加わると、アンプル３１が破壊され、封入されていた電解液が外部へ飛散する。そして、アンプル３１と発電部３２と注液路３８が一直線上に配置しているため、無旋回であっても発射衝撃により、電解液は注液路３８を通り、発電部３２の凹部４７内へ流入し（図８中の矢印Ｘの方向）、電圧が発生する。この時、電池内部は密閉されているため、発電部収納部３２ａ内に電解液が流入した体積分の空気は、排気路３９を通り、アンプル収納部３１ａへ排気される。
【０００９】
しかし、注液式電池を搭載した飛翔体が発射されて、注液式電池に発射衝撃による力が加わり、発電部内に電解液が流入した後、飛翔体が旋回する場合がある。このとき、注液式電池に遠心力が加えられることにより、図１０に示す矢印の向きに凹部４７内の電解液が移動するため、電解液の一部が発電部外に飛散し、電池出力の不安定化または低下を生じる可能性がある。
【特許文献１】特開平１０−３０２８１１号公報
【発明の開示】
【発明が解決しようとする課題】
【００１０】
そこで、本発明は、上記の問題を解決し、発射衝撃による力が加えられた後に旋回しても、発電部内に電解液が確実に保持され、出力の安定した高信頼性の注液式電池を提供することを目的とする。
【課題を解決するための手段】
【００１１】
本発明の注液式電池は、電解液を封入したアンプルと；積層された単セル複数個を含む発電部と；前記アンプルを収納するアンプル収納部、前記発電部を収納する発電部収納部、ならびに前記アンプル収納部および前記発電部収納部を連絡する注液路および排気路を有する構造体と；を備え、前記アンプルおよび前記発電部は、前記注液路を介して対向する位置に配置され、前記単セルは、正極と、負極と、前記正極と負極との間に配されたセパレータと、を含み、前記セパレータは、前記正極および前記負極の左端縁部に対応する左側部と、前記正極および前記負極の右端縁部に対応する右側部と、前記正極および前記負極の下端縁部に対応する底部と、前記左側部の上端から前記右側部側に延びる左折り曲げ部と、前記右側部の上端から前記左側部側に延びる右折り曲げ部と、を有する。
【００１２】
前記左側部、前記右側部および前記底部が凹部を形成しているのが好ましい。
前記左折り曲げ部と前記左側部との角度、および前記右折り曲げ部と前記右側部との角度は、それぞれ４５〜１３５°であるのが好ましい。
前記左折り曲げ部と前記左側部との角度、および前記右折り曲げ部と前記右側部との角度は、それぞれ４５〜９０°であるのが好ましい。
前記構造体は、前記アンプル収納部と前記発電部収納部とを隔離するアンプル破壊機構を含み、前記アンプル破壊機構は前記注液路を有するのが好ましい。
前記アンプル破壊機構は前記アンプル収納部側に突起部を有するのが好ましい。
【発明の効果】
【００１３】
発射衝撃による力が加えられた後に旋回しても、発電部内に電解液が確実に保持され、出力の安定した高信頼性の注液式電池を提供することができる。
【発明を実施するための最良の形態】
【００１４】
本発明の一実施形態として無旋回仕様の注液式電池を以下に説明する。図１および２は、それぞれ本発明の注液式電池の正面および側面における概略縦断面図である。
本実施形態の注液式電池は、電解液を封入したアンプル１と；積層された単セル複数個を含む発電部２と；アンプル１を収納するアンプル収納部１ａ、発電部２を収納する発電部収納部２ａ、ならびにアンプル収納部１ａおよび発電部収納部２ａを連絡する注液路８および排気路９を有する構造体４と；を備える。アンプル収納部１ａと発電部収納部２ａとは、注液路８を介して対向する位置に配置されている。
【００１５】
構造体４は、ステンレス鋼製であり、有底円筒形のステンレス鋼製ケース６内に収納されている。そして、構造体４は、上記のアンプル収納部１ａおよび発電部収納部２ａに加えて、排気路９の一部を形成する排気孔９ａ、およびアンプル収納部１ａと発電部収納部２ａとを隔離するアンプル破壊機構５を設置するための空間部５ａを有する。
空間部５ａには、アンプル収納部１ａと発電部収納部２ａとを隔離するアンプル破壊機構５が設置されており、アンプル破壊機構５はステンレス鋼製であり、アンプル収納部１ａと発電部収納部２ａとを連絡する注液路８、および排気路９の一部を形成する排気孔９ｂ、およびアンプル収納部１ａ側に設けられた突起部７を有する。排気路９は、排気孔９ａおよび９ｂにより形成されており、突起部７は、アンプル１を破壊するためのものである。
【００１６】
アンプル収納部１ａには、例えば、過塩素酸水溶液からなる電解液を封入したアンプル１が設置されている。発電部収納部２ａには、セパレータ２４と極板２５とを、図１に示す矢印Ｘの方向に垂直な方向において、交互に配置することにより構成された単セル複数個からなる発電部２が配されている。
【００１７】
ここで、図３は、図２に示す発電部２の拡大図（断面図）であり、図４は、図２に示す発電部２の斜視図である。
発電部２を構成する単セル２６は、二酸化鉛からなる正極２３と、鉛からなる負極２１と、正極２３および負極２１の間に空隙を形成して配されるセパレータ２４とで構成される。この発電部２を作製する際には、例えば、ニッケルめっき鋼板からなる基板２２の一方の面に、めっき法により二酸化鉛層からなる正極２３を形成し、基板２２の他方の面に、めっき法により鉛層からなる負極２１を形成して得られる極板２５を用いる。
【００１８】
そして、単セル２６においては、正極２３および負極２１の左右端縁部および下端縁部において、正極２３と負極２１との間にセパレータ２４が配され、正極２３、負極２１、およびセパレータ２４により、電解液が流入する凹部（コの字状部分）２７が形成されている。そして、発電部２は、各単セル２６の凹部２７の開口部が上方（注液路８側）に向くように配置され、アンプル１および発電部２は、注液路８を介して図１に示す矢印Ｘの方向において直線状に配置されている。
【００１９】
セパレータ２４は、凹部２７の開口端部において内側に折り曲げられている。すなわち、セパレータ２４は、正極２３の左端縁部と負極２１の左端縁部との間に配される左側部２９ａと、正極２３の右端縁部と負極２１の右端縁部との間に配される右側部２９ｂと、正極２３の下端縁部と負極２１の下端縁部との間に配される底部２８と、左側部２９ａの上端および右側部２９ｂの上端縁より、それぞれ延びて、右側部２９ｂ側に折り曲げられた左折り曲げ部３０ａおよび左側部２９ａ側に折り曲げられた右折り曲げ部３０ｂとからなる。左折り曲げ部３０ａおよび右折り曲げ部３０ｂを設けることにより、注液式電池が旋回しても遠心力により凹部２７内に流入した電解液が発電部２外に飛散することがない。
【００２０】
左折り曲げ部３０ａと左側部２９ａとで形成される角度θ１、および右折り曲げ部３０ｂと右側部２９ｂとで形成される角度θ２は、それぞれ４５〜１３５°であるのが好ましい。特に、注液路８を通過した電解液が発電部２の凹部２７内に確実に流入することができるため、角度θ１およびθ２は、４５〜９０°であるのがより好ましい。
【００２１】
角度θ１およびθ２が、４５°および８５°の場合を示す図５および６のように、角度θ１およびθ２が４５〜９０°の場合、左折り曲げ部３０ａおよび右折り曲げ部３０ｂは、左側部２９ａおよび右側部２９ｂの上端から下方に傾斜して凹部２７内部に入り込む構成となる。注液路８から左折り曲げ部３０ａおよび右折り曲げ部３０ｂ上に流れた電解液は左折り曲げ部３０ａおよび右折り曲げ部３０ｂ上を凹部２７開口部に向かって流れるため、注液路８を通過した電解液は確実に発電部２内に流入する。
その後、注液式電池が旋回して当該注液式電池に遠心力が加えられても、左折り曲げ部３０ａおよび右折り曲げ部３０ｂの存在により、電解液は図５および６中に示す矢印の向きに移動し、発電部２の外へ流出しない。
【００２２】
また、角度θ１およびθ２が１３５°である場合を示す図７のように、角度θ１およびθ２が９０°超１３５°以下の場合、左折り曲げ部３０ａおよび右折り曲げ部３０ｂは、左側部２９ａおよび右側部２９ｂの上端から上方に傾斜する構成となる。図７に示す構成の場合、電解液が確実に凹部内に流入するためには、開口部の幅よりも小さな径の注液路８を凹部２７開口部の真上に配置するのが好ましい。また、その後、電池が旋回して遠心力が加えられても、電解液は左折り曲げ部３０ａおよび右折り曲げ部３０ｂの存在により、図７中に示す矢印の向きに移動するため、発電部の外へ流出しない。
【００２３】
極板２５（即ち、正極２３および負極２１）のサイズは、例えば、縦が７〜１１ｍｍであり、横が５〜１５ｍｍであり、厚さが０．１３〜０．１６ｍｍである。
極板２５のサイズが上記範囲の場合、セパレータ２４の厚さ（即ち、正極２３と負極２１との距離）は、例えば１〜２ｍｍであればよい。また、左折り曲げ部３０ａおよび右折り曲げ部３０ｂは、例えば、基部から先端までの長さが１〜８ｍｍである。左右側部２９ａおよび２９ｂの高さは極板２５の縦の寸法に対応し、底部２８の長さは極板２５の横の寸法に対応する。
【００２４】
左折り曲げ部３０ａの基部から先端までの長さ、および右折り曲げ部３０ｂの基部から先端までの長さ、ならびに角度θ１および角度θ２は異なっていてもよいが、凹部２７の開口部が中央部に形成され、発電部２内に電解液が迅速に均一に流入し易い点、および生産性の観点から、左折り曲げ部３０ａおよび右折り曲げ部３０ｂの長さ、ならびに角度θ１およびθ２は同じであるのが好ましい。
また、注液路８の径は０．５ｍｍ以上であるため、両者の折り曲げ角度および長さが同じ場合、左折り曲げ部３０ａの先端と、右折り曲げ部３０ｂの先端との間の距離（凹部２７の開口部の幅）は、１．５ｍｍ以上であるのが好ましい。
【００２５】
これにより、衝撃による力が加えられて発電部２に電解液が流入した後、注液式電池を備える飛翔体が旋回して当該注液式電池に遠心力が加えられた場合でも、セパレータ２４の左折り曲げ部３０ａおよび右折り曲げ部３０ｂにより電解液の外部への流出を抑制することができるため、発電部２内に電解液が確実に保持され、出力の安定した注液式電池を提供することができる。
【００２６】
アンプル破壊機構５には、突起部７の周囲に等間隔に例えば４つの注液路８が設けられる。本実施の形態では、図１および２に示すように突起部７の周囲に等間隔に４つの注液路８を設けたが、注液式電池に必要な性能が発揮されるのであれば、注液路の形状や数は特に限定されない。各単セル２６に同時かつ均等に電解液を流入させるために、複数の注液路８を、各単セル２６の上方に、各凹部２７の開口部と対向するように設けてもよい。また、注液路の形状としては、注液路の入口を一つとし、内部で分岐させて複数の流路を形成し、出口を複数としてもよい。
【００２７】
アンプル収納部１ａの上部および発電部収納部２ａの下部には、電解液が外部へ漏れないように仮蓋１０がそれぞれ配されている。構造体４とケース６との間には、出力端子１１ａ、１１ｂと発電部２とを接続する一対のリード線１２ａ、１２ｂが配されている。
そして、ケース６およびアンプル収納部１ａの上部を、例えばポリエチレンからなる樹脂製電池蓋１３で覆うことにより、ケース６の開口部が封口されている。
【００２８】
上記の注液式電池の作動について説明する。
図１に示す矢印Ｙの方向に発射衝撃による力が加わると、アンプル１はアンプル破壊機構５に設けられた突起部７に衝突し、アンプル１が破壊され、封入されていた電解液が外部へ飛散する。そして、アンプル１と発電部２と注液路８が一直線状に配置されているため、無旋回であるが発射衝撃により、電解液は注液路８を通り、発電部２の凹部２７内へ流入する（図１中の矢印Ｘの方向）。
【００２９】
このとき、電解液が凹部２７内に保持されるが、凹部２７開口部に左折り曲げ部３０ａおよび右折り曲げ部３０ｂが設けられているため、電池が旋回しても遠心力により電解液が凹部２７外に飛散することがない。また、電池内部は密閉されているため、発電部収納部２ａ内に電解液が流入した体積分の空気は、排気路９を通り、アンプル収納部１ａへ排気される。これにより、電解液がすばやく均等に発電部２へ流入することができるため、電池電圧が確実に発生し、電池は迅速に活性化することができる。また、安定した出力が得られる。
【００３０】
上記では、アンプル破壊機構５は、アンプル収納部１ａ側にアンプル１を破壊するための突起部７を有するが、アンプル破壊機構５に突起部７を設けなくても、発射衝撃により受ける力のみで、アンプル１をアンプル破壊機構５に衝突させてアンプル１を破壊することが可能である。
以下に、本発明の実施例を詳細に説明する。しかし、本発明はこれらの実施例に限定されない。
【実施例】
【００３１】
《実施例１》
上記の図１および２と同様の構造の注液式電池を作製した。
セルロース製の不織紙を凹部の寸法に対応させてコの字状に切断加工した後、図１に示す角度θ１およびθ２が４５°となるように、コの字状不織紙の左端部および右端部をそれぞれ内側（底部２８側）に折り曲げることにより、左折り曲げ部３０ａおよび右折り曲げ部３０ｂを有するセパレータ２４（厚さ：１ｍｍ、高さ（側部の長さ）：１０ｍｍ、横幅（底部の長さ）：６．５ｍｍ、開口部の幅：１．５ｍｍ）を得た。
【００３２】
発電部２には、上記で得られたセパレータ２４、および極板２５を交互に配置して、３個の単セル２６で構成される発電部を用いた。極板２５には、図３のようにニッケルめっき鋼板からなる基板２２の一方の面にめっき法により二酸化鉛層からなる正極２３を形成し、他方の面にめっき法により鉛層からなる負極２１を形成したものを用いた。ガラス製のアンプル１には、過塩素酸水溶液からなる電解液を封入した。
【００３３】
《比較例１》
画用紙を凹部の寸法に対応させてコの字状に切断加工し、折り曲げ部を有しないセパレータ（厚さ：１ｍｍ、高さ（側部の長さ）：１０ｍｍ、横幅（底部の長さ）：６．５ｍｍ、開口部の幅：４．５ｍｍ）を得た。
このセパレータを用いた以外は、実施例１と同様の方法により注液式電池を作製した。
【００３４】
《比較例２》
図１１に示すような、アンプルの周囲に発電部が配された従来の注液式電池を作製した。外装ケース内に、押さえ板５４、スペーサ５５、および押さえ板５４とスペーサ５５との間に挟まれた発電部５６からなる積層体を収納した。積層体の中央に形成された空洞部５７に、電解液５８を封入したアンプル５９を配置した。空洞部５７の上部および下部には、電解液５８が外部へ漏れないように鉄板６０ａおよび６０ｂを配した。
【００３５】
外装ケース５１とスペーサ５５および発電部５６との隙間に、端子ピン５２ａ、５２ｂと発電部５６とを接続するリード線６１ａ、６１ｂを配した。そして、外装ケース５１と押さえ板５４、スペーサ５５、および発電部５６との隙間およびスペーサ５５の上部に樹脂６２を充填した。端子ピン５２ａ、５２ｂを設けた電池蓋５３により外装ケース５１の開口部を封口した。
【００３６】
この電池では、図１１の矢印の方向に電池に衝撃を加えると、アンプル５９は空洞部５７の底部に衝突して破壊される。そして、電池に旋回力が与えられると、アンプル５９の破壊により外部に飛散した電解液は、遠心力によりアンプル５９の周囲に配された発電部５６に流入し、電池が活性化する。
【００３７】
常温にて、上記で得られた実施例１および比較例１および２の各電池に旋回を加えず、発射衝撃（１００００Ｇ）に相当する衝撃力を加えてアンプルを破壊した。その後、電池を１５０００ｒｐｍの回転数で旋回させた。このときの電圧の立ち上がり具合および電圧立ち上がり後における電圧の安定性を調べた。この評価結果を表１に示す。
【００３８】
【表１】
2008047495.tif 000003
【００３９】
表１中の電圧立ち上がり特性については、発射衝撃を加えてから電圧が４Ｖにまで立ち上がるまでの時間（電圧立ち上がり時間）が５ｍｓ以内である、電圧立ち上がり特性が良好な場合を○とし、電圧立ち上がり時間が５ｍｓを超えたものを×とした。
また、電圧の安定性については、発射衝撃を加えてから１０ｓ経過した時点において、電圧が規定の４Ｖを下回らない、電圧の安定性が良好な場合を○とし、電圧が規定の４Ｖを下回る場合を×とした。
【００４０】
凹部開口部に折り曲げ部を有するセパレータを用いた実施例１の電池では、優れた電圧立ち上がり特性とともに、電解液が発電部内に確実に保持されたため、良好な電圧の安定性が得られた。また、一方、凹部開口部に折り曲げ部を有しないセパレータを用いた比較例１の電池では、電圧の立ち上がり特性は良好であったが、電圧立ち上がり後において、電圧は規定の４Ｖを下回り、電圧挙動が不安定であった。
アンプルの周囲に発電部が配された構造である比較例２の電池では、発射衝撃のみでは電解液の発電部への流入が不十分であるため、電圧の立ち上がり特性は悪いが、旋回を加えることにより電解液が発電部に流入し、安定な電圧挙動が得られた。
【産業上の利用可能性】
【００４１】
本発明の注液式電池は高信頼性を有し、飛翔体の電源に好適に用いられる。
【図面の簡単な説明】
【００４２】
【図１】本発明の実施の形態１の注液式電池の側面における概略縦断面図である。
【図２】本発明の実施の形態１の注液式電池の正面における概略縦断面図である。
【図３】図２の発電部の拡大図である。
【図４】図２の発電部の斜視図である。
【図５】本発明の注液式電池における発電部の一例を示す概略縦断面図である。
【図６】本発明の注液式電池における他の発電部の概略縦断面図である。
【図７】本発明の注液式電池におけるさらに他の発電部の概略縦断面図である。
【図８】従来の注液式電池の側面における概略縦断面図である。
【図９】従来の注液式電池の正面における概略縦断面図である。
【図１０】従来の注液式電池における発電部の概略縦断面図である。
【図１１】従来の他の注液式電池の概略縦断面図である。
【符号の説明】
【００４３】
１  アンプル
２  発電部
４  構造体
５  アンプル破壊機構
６  ケース
７  突起部
８  注液路
９  排気路
９ａ、９ｂ  排気孔
１０  仮蓋
１１ａ、１１ｂ  出力端子
１２ａ、１２ｂ  リード線
１３  樹脂
２１  負極
２２  基板
２３  正極
２４  セパレータ
２５  極板
２６  単セル
２７  凹部
２８  底部
２９ａ  左側部
２９ｂ  右側部
３０ａ  左折り曲げ部
３０ｂ  右折り曲げ部
【図１】
2008047495.tif 000004
【図２】
2008047495.tif 000005
【図３】
2008047495.tif 000006
【図４】
2008047495.tif 000007
【図５】
2008047495.tif 000008
【図６】
2008047495.tif 000009
【図７】
2008047495.tif 000010
【図８】
2008047495.tif 000011
【図９】
2008047495.tif 000012
【図１０】
2008047495.tif 000013
【図１１】
2008047495.tif 000014